(57)【要約】【課題】着用性やファッション性といった着用者の快適な着心地を損なうことなく、装いを手軽に変化させることができ、折り畳み収容して携帯でき、更には食事用ナプキンとして使用できるなどの多機能性、安価に生産でき商品価格を抑えることができる経済性を兼ね備えた被服として利用可能な簡易ベスト服構造を提供する。【解決手段】略長手帯状に形成した簡易ベスト生地の長手方向略中央部を幅方向左右側縁から襞状にしわ寄せして厚手の重ね代としこの部分を着用者の首掛け部とすると共に、簡易ベスト生地の長手方向左右半部のうち一半部の幅方向一側縁にボタンを、他半部の幅方向一側縁に前記ボタン部分に連結する連結部を設け、しかも簡易ベスト生地の左右端部は略山形状として、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することとした。【選択図】図７
2018109252.tif 000002
【特許請求の範囲】
【請求項１】
略長手帯状に形成した簡易ベスト生地の長手方向略中央部を幅方向左右側縁から襞状にしわ寄せして厚手の重ね代としこの部分を着用者の首掛け部とすると共に、簡易ベスト生地の長手方向左右半部のうち一半部の幅方向一側縁にボタンを、他半部の幅方向一側縁に前記ボタン部分に連結する連結部を設け、しかも簡易ベスト生地の左右端部は略山形状として、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することを特徴とする簡易ベスト服構造。
【請求項２】
首掛け部を介して簡易ベスト生地を首元から折返してシャツの襟元内に簡易ベスト生地の長手左右部をまとめて収容して簡易ベスト生地の一部がシャツの襟元から露見してアスコットタイ風の外観を呈するように構成したことを特徴とする請求項１に記載の簡易ベスト服構造。
【発明の詳細な説明】
【技術分野】
【０００１】
本発明は、簡易ベスト服構造に関する。
【背景技術】
【０００２】
従来、冠婚葬祭や会社の総会などの一定の格式を有する会合では、礼儀や敬意、モラルを示すことが社会的なマナーとして重要であり、フォーマルな服装で臨むのが一般的である。
【０００３】
かかるフォーマルな服装としては、ある程度体裁の整ったものであれば普段着用している仕事用のスーツも礼装として着用することは可能であるが、更なるワンポイントとしてスーツ内にベストを着用すれば、より豊かな装いを演出することができるため広く普及している（例えば、非特許文献１参照。）。
【０００４】
しかしながら、このようなベストは着用する機会が少ない割に比較的高価である。
【０００５】
また、上述のような会合は出先で緊急に招集されたり開催されたりすることもあるためベストを常時携帯しておくことも考えられるが、ベストに皺やヨレがつかないように配慮して持ち歩かなければならず、また手荷物が増えることからも現実的とは言えない。
【０００６】
また、ベストは防寒を目的として着用することもあるが、暖房が効いている屋内に移動すると、着用者に蒸し暑さを感じさせて着心地を悪化させてしまう場合があった。
【０００７】
そこで、挟幅状に形成した首掛け部と、同首かけ部から左右の前身頃にかけて略帯状に形成してなり、携帯性、着用性を加味したベスト服構造が提案されている（例えば、特許文献１参照。）。
【先行技術文献】
【非特許文献】
【０００８】
【非特許文献１】「スーツのベスト｜結婚式も仕事もセンス良く着こなすコツ」https://lafabric.jp/customlife/suits-vest/
【特許文献】
【０００９】
【特許文献１】実用新案出願公告昭２６−１１５５１号
【発明の概要】
【発明が解決しようとする課題】
【００１０】
しかしながら、上記従来のベスト服構造は、本来、毛皮又は人口毛等を首周りに装着するための基礎地として機能するもので、仮にベストとして着用するにしても、後身頃を排しているため両腕を通す袖部分がない。
【００１１】
それゆえ、首回りに掛けて使用する関係上、着用者の動作に伴いベストの装いが崩れないようにスナップボタンを介して下地の被服に掛止して固定する構造としており、使用にあたり煩雑であった。
【００１２】
また、上述の如き会合は立食や会食を伴う場合も多く、食事の際の不用意な食べこぼしや飛び跳ねなどで折角の礼装を汚してしまうことがある。
【００１３】
このため会場でナプキンが用意されているが、常にナプキンを襟元に差し込んだまま会話するのも憚られる。
【００１４】
また、このような会合は社交の場である場合も多く、礼装としての一定の装いは保ちながらも、時間の経過と共に、より親しまれやすいファッションへ変化することができれば、相手方との距離も縮まり、また、相手方に好印象を与えることができる。
【００１５】
本発明は、斯かる事情に鑑みてなされたものであって、着用性やファッション性といった着用者の快適な着心地を損なうことなく、装いを手軽に変化させることができ、折り畳み収容して携帯でき、更には食事用ナプキンとして使用できるなどの多機能性、安価に生産でき商品価格を抑えることができる経済性を兼ね備えた被服として利用可能な簡易ベスト服構造を提供する。
【課題を解決するための手段】
【００１６】
上記従来の課題を解決するために、本発明に係る簡易ベスト服構造では、（１）略長手帯状に形成した簡易ベスト生地の長手方向略中央部を幅方向左右側縁から襞状にしわ寄せして厚手の重ね代としこの部分を着用者の首掛け部とすると共に、簡易ベスト生地の長手方向左右半部のうち一半部の幅方向一側縁にボタンを、他半部の幅方向一側縁に前記ボタン部分に連結する連結部を設け、しかも簡易ベスト生地の左右端部は略山形状として、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することとした。
【００１７】
また、本発明に係る簡易ベスト服構造は、（２）首掛け部を介して簡易ベスト生地を首元から折返してシャツの襟元内に簡易ベスト生地の長手左右部をまとめて収容して簡易ベスト生地の一部がシャツの襟元から露見してアスコットタイ風の外観を呈するように構成したことにも特徴を有する。
【発明の効果】
【００１８】
請求項１に係る発明によれば、略長手帯状に形成した簡易ベスト生地の長手方向略中央部を幅方向左右側縁から襞状にしわ寄せして厚手の重ね代としこの部分を着用者の首掛け部とすると共に、簡易ベスト生地の長手方向左右半部のうち一半部の幅方向一側縁にボタンを、他半部の幅方向一側縁に前記ボタン部分に連結する連結部を設け、しかも簡易ベスト生地の左右端部は略山形状として、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することとしたため、着用性やファッション性といった着用者の快適な着心地を損なうことなく、装いを手軽に変化させることができ、折り畳み収容して携帯することができ、会食や立食の際には食事用ナプキンとして使用できるなどの多機能性、安価に生産でき商品価格を抑えることができる経済性を兼ね備えた被服として利用可能な簡易ベスト服構造を提供することができる。
【００１９】
また、略長手帯状に形成した簡易ベスト生地の長手方向略中央部を幅方向左右側縁から襞状にしわ寄せして厚手の重ね代としこの部分を着用者の首掛け部としたため、着用者が簡易ベストを着用した際には首掛け部をシャツの襟とシャツの襟台との間にしっかりと挟持させることができ、簡易ベスト服構造を備えるベストを着用者に確実にフィットさせ、スーツの襟元から露見したベスト風の外観位置を着用者が動いても変位させることなく、礼服としての堅実な身だしなみを保持することができる。
【００２０】
また、簡易ベスト生地の左右端部は略山形状としているため、着用者が簡易ベストを着用した際に、スーツのボタンを閉めない状態において正面視で前身頃のベスト裾が正面側へ反り返してしまうことを防止すると共に、ベスト裾のラインを露見させてベスト風の外観をさらに呈することができ、シックな装いを一層際立たせることができる。
【００２１】
また、請求項２の発明によれば、首掛け部を介して簡易ベスト生地を首元から折返してシャツの襟元内に簡易ベスト生地の長手左右部をまとめて収容して簡易ベスト生地の一部がシャツの襟元から露見してアスコットタイ風の外観を呈するように構成したため、簡易ベスト生地の露出部分が拡大して礼服としてのベストのシックな装いから一見してより親しみのあるスタイリッシュな装いへ変貌させることができ、会合の場の雰囲気に合わせて装いを変化することができる。
【図面の簡単な説明】
【００２２】
【図１】実施例１に係る簡易ベスト服構造を備えるベストの正面図及び背面図である。
【図２】実施例１に係る簡易ベスト服構造の簡易ベスト生地の型紙を示す正面図である。
【図３】実施例１に係る簡易ベスト服構造を備えるベストの左身頃側を示す正面図である。
【図４】実施例１に係る簡易ベスト服構造を備えるベストの左身頃側を示す背面図である。
【図５】実施例１に係る簡易ベスト服構造を備えるベストの首掛け部の断面図である。
【図６】実施例１に係るベストをベスト風に着用した例を示す外観斜視図である。
【図７】実施例１に係るベストをベスト風に着用した例を示す外観正面図である。
【図８】実施例１に係るベストを食事用ナプキンとして着用した例を示す外観斜視図である。
【図９】実施例２に係る簡易ベスト服構造を備えるベストの左身頃側を示す正面図である。
【図１０】実施例２に係る簡易ベスト服構造を備えるベストの首掛け部の断面図である。
【図１１】実施例２に係るベストをアスコットタイ風に着用した例を示す外観斜視図である。
【図１２】実施例３に係る簡易ベスト服構造を備えるベストの左身頃側を示す正面図である。
【発明を実施するための形態】
【００２３】
本発明は、着用性やファッション性といった着用者の使用感を損なうことなく、装いを手軽に変化させることができ、折り畳み収容して携帯でき、更には食事用ナプキンとして使用できるなどの多機能性、安価に生産でき商品価格を抑えることができる経済性を兼ね備えた被服として利用可能な簡易ベスト服構造を提供するものである。
【００２４】
特に、本発明に特徴的には、略長手帯状に形成した簡易ベスト生地の長手方向略中央部を幅方向左右側縁から襞状にしわ寄せして厚手の重ね代としこの部分を着用者の首掛け部とすると共に、簡易ベスト生地の長手方向左右半部のうち一半部の幅方向一側縁にボタンを、他半部の幅方向一側縁に前記ボタン部分に連結する連結部を設け、しかも簡易ベスト生地の左右端部は略山形状として、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することである。
【００２５】
すなわち、本発明は、略長手帯状の簡易ベスト生地と、同記簡易ベスト生地の長手方向略中央部に形成され、幅方向左右側縁から襞状にしわ寄った厚手の重ね代よりなる着用者の首掛け部と、前記簡易ベスト生地の長手方向左右半部のうち一半部の幅方向一側縁に配置されたボタン群と、前記簡易ベスト生地の長手方向左右他半部の幅方向一側縁であって前記ボタン群と対応する位置に配置された連結部群と、前記簡易ベスト生地の左右端部に形成された略山形状の剣先部と、を備え、簡易ベスト生地を首掛け部を介して首元から折返して胸元で着用した際に簡易ベスト生地の前記左右半部の上半部がスーツの襟元から露見してベスト風の外観を呈し、かつ、食事用のナプキン機能も兼用することを特徴とする簡易ベストを提供するものとも言える。
【００２６】
本実施形態に係る簡易ベスト服構造は、略長手帯状に形成した簡易ベスト生地1枚のみで、同簡易ベスト生地を裁断することなく折返しや襞寄せをして縫成するだけで軽量で多機能性を有する簡易ベスト服を実現し、裁断に要する手間や裁断によって生じた不要な生地の発生を防止して低コスト化やエコ化が可能な構造であるとも言える。
【００２７】
ここで、簡易ベスト生地（以下、単に生地とも言う。）は、略長手帯状のものを採用する。この略長手帯状の生地は、着用者の身長や胸囲に応じて幅員や長さを変えることとしてもよい。例えば子供用、大人用、Ｓ〜Ｌサイズ等、着用者の体系に合わせて数パターンのものを採用することができる。
【００２８】
また、生地の全周端縁は、端縁に沿って1回折り又は２回折りを施して縫着する折り返し縫製が施されており、生地のほつれを防止をしている。
【００２９】
生地の素材は、特に限定されることはなく、例えば綿、絹、アクリル、ポリエステル、ウール、ナイロン、ポリウレタン、コットン、麻、レーヨン、ニット素材、紙のいずれか又はこれらの素材を組み合わせて採用してもよい。また、ベストの表地と裏地とで素材を違えるようにしてもよい。
【００３０】
首掛け部は、厚みを増して肉厚部としてもよい。この肉厚部を形成するにあたっては、例えば、複数枚の生地を重ねて縫合することにより構築してもよく、また、ベストの表又は裏の生地として使用されている生地に複数のタックを形成することで構築してもよい。
【００３１】
ボタンは、後述する連結部と対をなして係合できるものであればよく、例えばスナップ式、磁石式、ホック式、ファスナー式などのボタンを採用することができる。
【００３２】
〔実施例１〕
以下、本実施例に係る簡易ベスト服構造について、図面を参照しながら説明する。図１（ａ）は本実施例に係る簡易ベスト服構造を備えたベストの正面図を示し、図１（ｂ）はその背面図である。図２は、簡易ベスト生地の型紙を中心から半分に折った状態を示し、図３及び図４は、ベストの左身頃側の正面図と背面図である。図５は、首掛け部における幅方向断面図である。なお、図２〜図４において、右身頃は左身頃と左右対照形としているため、ここでは左身頃側を例に説明し、右身頃側の図面を省略して説明する。
【００３３】
また、以下の説明において、簡易ベスト生地のうちボタンが実線で表れている側の面を正面とし、ボタンが実線で表れていない側の面を背面とする。さらに本実施形態において、「山折り」とはその最頂部が簡易ベスト生地の正面側へ隆起する折り方を、「谷折り」とはその最底部が簡易ベスト生地の背面側へ隆起する折り方を意味する。
【００３４】
図１に示すように、簡易ベスト服構造を備えるベストＡは、略長手帯状に形成した簡易ベスト生地１０（以下、単に生地と称す。）の長手方向略中央部１０ａを幅方向左右側縁１０ｄ、１０ｅから襞状にしわ寄せして厚手の重ね代として形成した首掛け部２０と、生地１０の長手方向左半部１０ｂの幅方向右側縁１０ｅに設けたボタン３１と、長手方向右半部１０ｃの幅方向右側縁１０ｅに設けたボタン部分に連結する連結部４１と、を備えている。なお、本実施例に係る生地は、幅を約１８ｃｍ、長さを約１３５ｃｍとしている。
【００３５】
すなわち、ベストＡのベスト本体１１は、生地１０の長手方向略中央部１０ａを所定の厚みを有して挟幅状に形成した首掛け部２０と、首掛け部２０の左側端縁から伸延してなる生地１０の長手方向左半部１０ｂの左身頃３０と、首掛け部２０の右側端縁から伸延してなる生地１０の長手方向右半部１０ｃの右身頃４０と、を備えている。特に本実施例に係るベスト本体１１は、裁断処理を不要とした１枚の略帯状の生地１０で形成された一体的な構造として縫製されている。
【００３６】
生地１０には、図２に示すように、首掛け部２０や左右身頃３０、４０を形成するための折返し線が予め定められてる。なお以下の説明において、
【００３７】
より具体的には、図２（ａ）に示すように、生地１０の型紙には、正面視において、幅方向略中央部から長手方向に沿って伸延する所定長さのタック谷折線２３と、タック谷折線２３と所定間隔を隔ててタック谷折線２３と略平行で略同じ長さのタック山折線２４と、タック谷折線２３やタック山折線２４の外方で長手左右方向に行くに従い幅方向に漸次拡開する２つの折返線２５ａ、２５ｂとが型として定められている。
【００３８】
２つの折返線２５ａ、２５ｂは、それぞれ所定間隔を隔ててタック谷折線２３やタック山折線２４と中途位置２５ｃまで略平行とし、中途位置２５ｃから長手左右方向に行くに従い幅方向に漸次拡開する線である。
【００３９】
各線の間隔幅は、所望とする首掛け部の幅や後述するタックや襞２１ａの幅に合わせて適宜調整することができ、本実施形態においてはタック谷折線２３とタック山折線２４との間隔幅を約１〜１．５ｃｍとし、折返線２５ａと折返線２５ｂとの間隔幅（それぞれの折返線２５ａ、２５ｂのうち、生地の長手方向中央位置１０ｇから中途位置２５ｃに至るまでの互いの平行部分の間の間隔幅）を約３〜４ｃｍとしている。
【００４０】
首掛け部２０は、着用者の首まわりに沿ってシャツの襟台と襟の間で挟持される部位であり、襞状にしわ寄せした複数の襞を有した厚手部分としている。
【００４１】
首掛け部２０は、具体的には次のように形成する。まず、生地１０の正面視において、図２に示すように、上側の折返線２５ａに沿って生地１０を背面側に折り返す。この折返しにより、背面側に折返片１２ａが形成される。
【００４２】
次いで、生地１０をタック山折線２４に沿って山折りすると共にタック谷折線２３に沿って谷折りする。そして、タックの隆起部分に相当するタック山折線２４を幅方向左側縁１０ｄ（着用者の背中側に相当する側）に向けて倒すことで、１つのタックが形成される。
【００４３】
次いで、上側の折返線２５ａと同様に、下側の折返線２５ｂに沿って生地１０を背面側に折り返す。この折返しにより、背面側に折返片１２ｂが形成される。
【００４４】
なお、この折返片１２ｂは、後述する首掛け部２０において着用者がベストＡを着用した際に着用者の首部分と接触する生地であり、折返片１２ａを背面側で被包して背面側全域を覆う裏生地として機能する。
【００４５】
また、折返線２５ａ、２５ｂのうちそれぞれの中途位置２５ｃから長手左右方向の幅方向左右側縁１０ｄ、１０ｅに行くに従い幅方向に漸次拡開する部分を背面側に折り返すことで、後述する左右身頃３０、４０の左右身頃上半部３０ａ、４０ａが形成される。
【００４６】
そして、タック谷折線２３、タック山折線２４、折返線２５ａ、折返線２５ｂに沿った折り目は、アイロン等によりプレス処理を施して折り返し状態を保持する。プレス処理によりタック谷折線２３、タック山折線２４、折返線２５ａに相当する部分は、それぞれ後述する襞２１ａの折曲部２２ａ、折曲部２２ｃ、襞２１ｂの折曲部２２ｂとなる。
【００４７】
首掛け部２０は、生地１０の正面側から背面側にかけて順にタック、折返片１２ａ、折返片１２ｂとを重ね合わせ、それぞれを生地１０の長手方向中央位置１０ｇで幅方向に、また、２つの折返線２５ａ、２５ｂの中途位置２５ｃ同士の間を幅方向に沿って縫合することで形成する。
【００４８】
この２つの折返線２５ａ、２５ｂの中途位置２５ｃ同士の間を幅方向に沿って縫合することにより、首掛け部２０の左右端２５Ｌ、２５Ｒが形成される。
【００４９】
このように形成した首掛け部２０は、図５に示すように、幅方向断面視において、その倒し方向を同じにし、正面側から順に降下する階段状とした複数の襞（本実施形態では２つ）を有している。
【００５０】
このように首掛け部２０は、図５に示すように、生地１０の長手方向略中央部１０ａを幅方向左右側縁から襞状にしわ寄せした生地１０の長手方向に沿う２つの襞を有し、各襞は倒し方向を幅方向他側縁側とすると共に幅方向一側縁側から幅方向他側縁側にむけて順次降下する階段状とした厚手の重ね代としている。
【００５１】
すなわち首掛け部２０は、生地１０の幅方向略中央部から長手方向に沿って谷折と山折とをして形成した襞２１ａと、折返片１２ａの折返しにより形成した襞２１ｂと、折返片１２ｂと、を正面側から背面側にかけて順次階段状に降下するように配置して構築した重畳構造２５を有している。
【００５２】
このように構築した重畳構造２５は、空気中の水分を生地１０が吸湿したり発散することで襞２１ａ、襞２１ｂが伸縮し、首掛け部２０の厚みを変位自在とする厚み伸縮機能を首掛け部２０に付与している。
【００５３】
重畳構造２５において２つの襞２１ａ、２１ｂは、それぞれの倒し方向（折曲部２２ａ、２２ｂの方向）を幅方向左側縁１０ｄ（着用者の背中側）に向けて同じ方向とし、それぞれの折曲部２２ａ、２２ｂ、２２ｃ（折返線２５ａ、タック山折線２４、タック谷折線２３）を階段状にずらして配置している。
【００５４】
このような重畳構造２５を有する首掛け部２０の厚みは、シャツの襟台と襟の間に首掛け部２０を配置した際に、首掛け部２０の正面と背面とがそれぞれシャツの襟台表面と襟の裏面に面接触可能な厚みとしている。
【００５５】
すなわち、首掛け部２０の厚みは、生地１０の幅方向左右側縁１０ｄ、１０ｅから襞状にしわ寄せして形成した分、図５に示すように、生地１０を少なくとも５枚以上に重ねた肉厚に形成している。
【００５６】
特に本実施例の首掛け部２０は、上述の重畳構造２５により厚み方向への伸縮機能を備えており、厚み伸縮範囲を約１〜５ｍｍとしている。
【００５７】
また、首掛け部２０の長さ、すなわち首掛け部２０の左右端２５Ｌ、２５Ｒ同士の間隔は、着用者のうなじ回りに巻き掛け可能な長さとなるようにしており、本実施例においては約１５〜２５ｃｍとしている。
【００５８】
また、首掛け部２０の幅員は、シャツの襟台の幅員と略同じ幅員としつつ、図１に示すように、首掛け部２０の中央位置１０ｇ（生地１０の長手方向中央位置１０ｇ）程挟幅状とし、中央位置１０ｇから左右端２５Ｌ、２５Ｒにかけて漸次拡開するように形成している。
【００５９】
次に、首掛け部２０の左右側に設けた左右身頃３０、４０について説明する。左右身頃３０、４０は、首掛け部２０を介して着用者の左右肩部から正面側に垂下させた際に着用者の胸元を除いた正面を覆う寸法で互いに左右対称形としている。
【００６０】
すなわち、左右身頃３０、４０は、図１〜図４に示すように、首掛け部２０を中心に生地１０の長手方向に沿って幅方向左右側縁１０ｄ、１０ｅに向って漸次拡開する略大剣形状としている。
【００６１】
左右身頃３０、４０は、図１及び図２に示すように、首掛け部２０の左右端２５Ｌ、２５Ｒを基端とし、左右端２５Ｌ、２５Ｒからそれぞれ幅方向左右側縁１０ｄ、１０ｅに向って漸次拡開するように形成した略三角形状の左右身頃上半部３０ａ、４０ａと、左右身頃上半部３０ａ、４０ａから略方形状に伸延し、先端を略三角形状とした左右身頃下半部３０ｂ、４０ｂと、により構成している。
【００６２】
左右身頃上半部３０ａ、４０ａは、ベスト本体１１において首から胸元へのカーブを形成する部位であり、上述の如くそれぞれの折返片１２ａ、１２ｂを折返線２５ａ、２５ｂに沿って背面側に折返して縫着することにより略三角形状に形成している。
【００６３】
左右身頃上半部３０ａ、４０ａの上部の幅方向略中央位置には、図１〜図４に示すように、左右端２５Ｌ、２５Ｒから生地１０の長手方向左右端に向けて長手に沿って伸延するタック２１Ｌ、２１Ｒがそれぞれ形成されている。
【００６４】
すなわち、生地１０の長手方向略中央部１０ａ近傍の長手方向左右半部には、生地１０の幅方向略中央部で長手方向に沿って所定長さで伸延する襞（タック）が形成されている。
【００６５】
タック２１Ｌ、２１Ｒは、図３及び図４に示すように、首掛け部２０の襞２１ａにおいて左右端２５Ｌ、２５Ｒを介して左右身頃上半部３０ａ、４０ａの幅方向略中央部に伸延した部分であり、その折曲部２２ａを幅方向左右側縁１０ｄ側に向けて形成している。
【００６６】
このような構成によりタック２１Ｌ、２１Ｒを中心に左右側の生地が引き寄せられることで、左右身頃上半部３０ａ、４０ａは幅方向正面側に隆起した略ドーム状となり、その背面側において着用者の胸板のかたちに沿う三次元的形状となる。
【００６７】
特に、正面側のタック２１Ｌ、２１Ｒの倒し方向が、幅方向左側縁１０ｄ（ベストＡを着用した際に着用者の両肩側になる方向）としていることから、それぞれのタック２１Ｌ、２１Ｒを構成する上側と下側の生地のうち、下側の生地が肩側に配置されることとなり、首元のラインを保ったまま左右身頃上半部３０ａ、４０ａを着用者の胸板のかたちに沿うように左右方向に伸延させることを可能としている。
【００６８】
左右身頃下半部３０ｂ、４０ｂは、それぞれ着用者の腹部を覆う幅広の略帯状とし、その先端を略山形状とした剣先３２、４２とし、左身頃下半部３０ｂの一側縁１０ｅにボタン３１を、右身頃下半部４０ｂの一側縁１０ｅであってボタン３１が設けられた部分に連結する位置に連結部４１を設けている。
【００６９】
剣先３２は、図３及び図４に示すように、生地１０の角部１０ｈ、１０ｉをそれぞれ背面側で突き合わせるように生地１０の長手方向左右端縁１０ｊを折り返して略山形状とし、おり返して突き合わせた端縁１０ｊ同士を縫合することで生地１０を２枚以上重ねた肉厚に形成している。
【００７０】
ボタン３１は、生地１０正面側の長手方向左半部１０ｂの幅方向一側縁１０ｅに、所定間隔を隔てて複数縫着している。すなわち、図１（ａ）及び図３に示すように、右身頃下半部４０ｂと対向する左身頃下半部３０ｂの一側縁１０ｅに３つのボタン３１を設けている。また、ボタン３１の下部には図１（ｂ）に示すように、磁性体３１ａが備えられている。
【００７１】
ボタン３１と連結する連結部４１は、磁性体３１ａと引き合う他の磁性体４１ａとしており、生地１０の正面側の長手方向右半部１０ｃのボタン３１と対向する幅方向一側縁１０ｅに所定間隔を隔てて３つ設けている。すなわち、左身頃下半部３０ｂの一側縁１０ｅと対向する右身頃下半部４０ｂの一側縁１０ｅに３つの磁性体４１ａを設けている。
【００７２】
なお、このように形成した左右身頃３０、４０の寸法は、着用者の体型に合わせて適宜調節することができるが、本実施形態では、左右端２５Ｌ、２５Ｒから剣先３２、４２の先端部までの長さを約５０〜７０ｃｍ、幅員を１０〜１８ｃｍとしている。
【００７３】
このように構成したベストＡを使用した際には以下のような効果がある。図６及び図７は、ベストＡをベスト風に着用した例を示し、図８は、ベストＡを食事用ナプキンとして着用した例を示す。
【００７４】
ベストＡを着用した際には、図６に示すように、首掛け部２０は、その肉厚によりシャツ１００の襟部と面接触する。すなわち、首掛け部２０の正面側に配置された襞２１ａ、２１ｂの上面がシャツ１００の襟１２０の裏面に、また、折返片１２ｂの背面がシャツ１００の襟台１１０の表面に、それぞれ面接触することで首まわりを中心に左身頃３０や右身頃４０が一方に引っ張られてベストＡが定位置からずれてしまうことを防止できる。
【００７５】
特に、首掛け部２０の重畳構造２５の伸縮機能により、折り畳まれた生地１０の伸縮性も相俟って、首掛け部２０の厚み方向に伸縮することで首掛け部２０の肉厚を可変可能とし、首掛け部２０がシャツの襟部に確実に面接触可能な厚みを維持することを可能としている。
【００７６】
また、重畳構造２５において２つの襞２１ａ、２１ｂは、それぞれの折曲部２２ａ、２２ｂ、２２ｃを階段状にずらして配置しているため、各折曲部の影響（折曲部の厚み）が背面側に響かず、着用者が頸部に首掛け部２０を巻き掛けた際の着心地を良くしている。
【００７７】
さらに、襞２１ａ、２１ｂは、それぞれの倒し方向（折曲部２２ａ、２２ｂの方向）を幅方向左側縁１０ｄ（着用者の背中側）に向けて同じ方向になるように形成しているため、首掛け部２０をシャツ１００の襟部の間に挟持させる際には、シャツの襟部に対して階段状の襞２１ａ、２１ｂが滑り込みやすくなる。
【００７８】
一方で、シャツ１００の襟部の間に挟持させた状態においては、各襞２１ａ、２１ｂが、それぞれの折曲部２２ａ、２２ｂを下側に向けた状態でシャツの襟１２０に対して係合することとなり、首掛け部２０をシャツの襟部の間にしっかりと挟持させた状態とし首掛け部２０がシャツの襟からはみ出すことを防止している。
【００７９】
さらには、首掛け部２０の幅員をその左右端２５Ｌ、２５Ｒに向かうに従い漸次幅広に形成していることから、以下のような効果がある。
【００８０】
すなわち、首掛け部２０の略中央位置１０ｇを着用者のうなじに沿った略垂直位置に配置することを容易としつつ、首掛け部２０の略中央位置１０ｇと幅広の左右端２５Ｌ、２５Ｒとの位置関係において首掛け部２０の背面を首筋から肩にかけて面接触状態とした自然なねじれの位置を実現する。
【００８１】
この結果、首掛け部２０は、左右身頃３０、４０を肩から胴体部分にかけて着用者の正面側に面接触させつつ自然に垂下させることを可能としている。
【００８２】
また、左右身頃３０、４０の左右身頃上半部３０ａ、４０ａのそれぞれのタック２１Ｌ、２１Ｒによるドーム形状や身頃左右方向への伸延作用により着用者の体型に沿わせて着用者の胴前面へ確実にフィットさせ、ベストＡの着心地を向上させている。
【００８３】
また、左右身頃３０、４０の左右身頃下半部３０ｂ、４０ｂの剣先３２、４２は、生地１０の角部１０ｈ、１０ｉ同士を突き合わせるように背面側に折り返し、長手方向左右端縁１０ｊでのみ縫着して肉厚に形成されていることから、左右身頃３０、４０の裾が正面側への反り返しを防止するとともに、背面側でポケット状に拡開することで左右身頃下半部３０ｂ、４０ｂを正面側に隆起させてベストＡに重厚な印象を付与している。
【００８４】
また、ボタン３１を連結部４１に係合する際には、右身頃４０と左身頃３０の対向縁同士を近接、すなわち右身頃下半部４０ｂの正面側の一側縁１０ｅを左身頃下半部３０ｂの背面側の一側縁１０ｅに近づけるだけで、それぞれの磁性体３１ａ、４１ａ同士が引き合い連結するため、ボタン３１と連結部４１との係合作業を容易とすることができる。
【００８５】
そして図７に示すようにスーツを着用すれば、左右身頃上半部３０ａ、４０ａがシャツ１００の襟元から露見してベスト風の外観を呈することとなる。更には、スーツの前側を開いた状態で着用しても、左右身頃下半部３０ｂ、４０ｂが露見するためベスト風の外観を保持することができる。
【００８６】
また、ベストＡを収納する際には、首掛け部２０の略中央位置１０ｇで左右身頃３０、４０のそれぞれの背面同士を合わせるように折ることで、上述の磁性体３１ａ、４１ｂにより左右身頃３０、４０の背面同士を綺麗に重ね合わせてベストＡの折り畳み作業を容易とすることができる。
【００８７】
なお、ベストＡは、左右身頃３０、４０を重ね合わせて丈を３回折ることで、生地１０の長手の長さの６分の１程度の長さ約９ｃｍ、厚さを１ｃｍ程度とした紳士用ハンケチ状にしてコンパクト化した収納状態とすることができ、スーツポケットに入れることも可能である。
【００８８】
また、図８に示すように、ベストＡはスーツを脱いだ状態で会食や立食の時の食事用ナプキンとして用いることも可能である。
【００８９】
食事で衣服を汚す場所は、着用者の正面の中心から上下左右に約１０ｃｍ程度の範囲である。すなわち、左右身頃３０、４０、特に左右身頃下半部３０ｂ、４０ｂがナプキンの本体部分として作用し、不用意な食べこぼしや飛び跳ねにより礼装が汚れることを防止できる。
【００９０】
また、本実施形態のように、ベストＡを裏返して左右身頃３０、４０の背面側を食事用ナプキンとして使用してもよく、食べこぼしや飛び跳ねにより左右身頃３０、４０が汚れたベストＡを収納する際には、上述のように互いの左右身頃３０、４０同士を汚れた背面側同士を合わせて折り畳むことで包み込み、汚れやシミを外側に表出させることなく鞄に清潔に収納することができる。
【００９１】
また、ベストＡの生地１０の全表面に撥水加工を施しておけば、汚れた部分のふき取りを容易にして清潔さを保ち、会食後には再びベストＡの装いとして利用することも可能である。
【００９２】
なお、撥水加工を施すに際しては、フッ素樹脂やシリコン樹脂、またはこれらの混合物を含有する撥水剤をベストＡの全表面に塗着してもよいし、生地１０の裏地を撥水性の生地、例えば上述のナイロンやポリエステルなどの樹脂性生地を縫着してもよい。
【００９３】
〔実施例２〕
次に簡易ベスト服構造としてアスコットタイ風とした構成について図面を参照しながら説明する。なお、実施例１と構成・構造を同じくする箇所は説明を省略する。図９は、本実施例に係るベストＢの左身頃側の正面図を示し、図１０は、首掛け部における幅方向断面を示す。また、図１１は、本実施例に係る簡易ベスト服構造を備えるベストＢをアスコットタイ風に着用した例を示す。
【００９４】
図１１に示すように、ベストＢは、首掛け部２０を介して生地１０を首元から折返し、シャツ１００の襟元内に生地１０の長手左右部をまとめて収容し、生地１０の一部がシャツ１００の襟元から露見してアスコットタイ風の外観を呈するように構成している。
【００９５】
すなわち、本実施形態に係るベストＢには、簡易ベスト生地の長手方向左右半部において首掛け部の長手方向左右近傍位置であって、簡易ベスト生地を幅方向略中央部で襞状に重合した２つのタックを備え、同タックは、首掛け部を介して簡易ベスト生地を首元から折返してシャツの襟元内に簡易ベスト生地の長手左右部をまとめて収容した際にシャツの襟元から露見する位置に形成されている。
【００９６】
ベストＢを構築するための生地１０の型紙には、正面視において、幅方向略中央部から長手方向に沿う所定長さのタック谷折線と、タック谷折線と所定間隔を隔ててタック谷折線と略平行で略同じ長さのタック山折線と、が２つ生地１０の幅方向略中央部で所定間隔を隔てて並行している。
【００９７】
そして、ベストＢに係る首掛け部６０は、図９に示すように、生地１０の長手方向略中央部１０ａを幅方向左右側縁から襞状にしわ寄せした生地１０の長手方向に沿う２つの襞を有し、各襞は倒し方向を幅方向他側縁側とすると共に、幅方向一側縁側から幅方向他側縁側にむけて順次降下する階段状とした厚手の重ね代とする共に首掛け部６０の幅員を幅広とするように形成している。なお、本実施形態の首掛け部６０の幅員は、約６〜８ｃｍとしている。
【００９８】
すなわち首掛け部６０は、首掛け部６０の幅員を幅広に形成した分、図１０に示すように、幅広とした２つのタックに相当する襞５１ａ、襞５１ｂとを、正面側から背面側にかけて順次階段状に下がるように配置して構築した重畳構造５３を有している。なお、折返片１２ｂは、背面側で襞５１ａの内部側に収納している。
【００９９】
また、生地１０の長手方向略中央部１０ａ近傍の長手方向左右半部は、生地１０の幅方向略中央部で長手方向に沿って所定間隔を隔てて所定長さで伸延する２つの襞（タック）を有している。
【０１００】
より具体的には、左右身頃上半部３０ａ、４０ａの上部にはそれぞれ、襞５１ａ、５１ｂの延長部分となる２つのタック５０ａ、５０ｂが首掛け部６０の左右端２５Ｌから生地１０の所定間隔を隔てて生地の長手方向に伸延して形成されている。
【０１０１】
このような構成により、２つのタック５０ａ、５０ｂを中心として正面側への隆起高さを増し、シャツ１００の襟元から外方へ向けて膨出させて露出させる部分を大きくして首元からアスコットタイ風の外観を呈する効果を向上している。
【０１０２】
さらには、正面側に形成された２つのタック５０ａ、５０ｂは、ネクタイの結び目のくぼみ、すなわちディンプルとして機能させることができ、ディンプルを形成するようなタイ結びをする手間を省いて手軽にスタイリッシュな装いを呈することができる。
【０１０３】
また、首掛け部６０が幅広に形成されているため、着用者の頸部から肩部にかけての湾曲面に生地を面接触させる面積を可及的に拡大させて、ベストＢが正面位置から不意にずれてしまうことを防止できると共に、首掛け部６０の左右側の左右身頃３０、４０を自然な状態で着用者の正面側に垂下させることができる。
【０１０４】
なお、本実施例に係るベストＢでは、特にアスコットタイ風の外観を呈する効果を増幅する簡易ベスト服構造を示したが、実施例１で説明したベストＡであってもアスコットタイ風の外観を呈する効果を得ることができるのは勿論である。
【０１０５】
〔実施例３〕
次に、上述した実施例に係る簡易ベスト服構造のうち、首掛け部の形状の変形をしたベストＣについて図面を参照しながら説明する。図１２は、裏地を取り付けた縫製により出来上りの形状に縫成したベストＣの左身頃側を示す。
【０１０６】
図１２に示すように、本実施例に係るベストＣの首掛け部７０は、略長手帯状に形成した生地１０の長手方向略中央部１０ａを幅方向一側縁から襞状にしわ寄せして厚手の重ね代として形成している。特にこの首掛け部７０の生地は複数枚の生地を縫着して肉厚を増している。
【０１０７】
また、襞状にしわ寄せをする幅方向一側縁１０ｅは、ボタン３１や連結部４１を備える側の側縁とし、ベストＣを着用した際に左右身頃３０、４０の左右身頃上半部３０ａ、４０ａの胸元のカーブ形状を露出させる。また、幅方向他側縁１０ｄが略直線状であるため、スーツを着用しない場合であってもよりシックなベスト風の外観を呈することを可能としている。
【０１０８】
なお、上述してきた実施例１〜３は互いに構成を入れ替えても実施可能であり、同一の作用・効果を有することは勿論である。
【０１０９】
このように本実実施形態に係る簡易ベスト服構造によれば、着用性やファッション性といった着用者の快適な着心地を損なうことなく、装いを手軽に変化させることができ、折り畳み収容して携帯することができ、会食や立食の際には食事用ナプキンとして使用できるなどの多機能性、安価に生産でき商品価格を抑えることができる経済性を兼ね備えた被服を提供することができる。
【０１１０】
最後に、上述した各実施の形態の説明は本発明の一例であり、本発明は上述の実施の形態に限定されることはなく、本発明に係る技術的思想を逸脱しない範囲であれば、設計等に応じて種々の変更が可能であることは勿論である。
【符号の説明】
【０１１１】
Ａ  ベスト
１０  簡易ベスト生地
１１  ベスト本体
１０ａ  長手方向略中央部（２０  首掛け部）
１０ｂ  長手方向左半部（３０  左身頃）
１０ｃ  長手方向右半部（４０  右身頃）
３１  ボタン
４１  連結部
【図１】
2018109252.tif 000003
【図２】
2018109252.tif 000004
【図３】
2018109252.tif 000005
【図４】
2018109252.tif 000006
【図５】
2018109252.tif 000007
【図６】
2018109252.tif 000008
【図７】
2018109252.tif 000009
【図８】
2018109252.tif 000010
【図９】
2018109252.tif 000011
【図１０】
2018109252.tif 000012
【図１１】
2018109252.tif 000013
【図１２】
2018109252.tif 000014